(57)【要約】      （修正有）【課題】炭酸混合化粧水を生成する炭酸ガス供給用ボンベが使用時において直接目に触れない様にし、不必要な違和感、不安感を払拭する。更には炭酸ガス供給用ボンベの噴出ガス圧をノズル部の開閉に有効に作用させる。【解決手段】炭酸ガス供給用ボンベＢから可撓性ホースＰを介して導かれた炭酸ガスをスプレー本体の先端噴出ノズルから噴出させてカップ内の化粧水と共に、炭酸混合化粧水を霧状に噴射する様にした美顔器に於いて、上側筒体１の上部面に、装着された円形調整用摘子の内側面に雌ネジを形成し、上側筒体１の上部面に、該上側筒体１の外径より小径のボスを直立させると共に、該ボスの外周に雄ネジを形成して円形調整用摘子の雌ネジに螺合して円形調整用摘子を回転上下させ、更に前記上側筒体１の上部面とボスの雄ネジとの間にネジ無し溝を形成し、円形調整用摘子の側面からねじ込んで先端がネジ無し溝に位置する抜止め用ネジとした。【選択図】図４
2013236777.tif 000002
【特許請求の範囲】
【請求項１】
所定量の化粧水をカップに収納し、且つ炭酸ガス供給用ボンベから可撓性ホースを介して導かれた炭酸ガスをスプレー本体の先端噴出ノズルから噴出させて前記カップ内の化粧水と共に、炭酸混合化粧水を霧状に噴射する様にした美顔器に於いて、
（１）ソケット部のネジ孔に炭酸ガス供給用ボンベの上端噴出口頭部に形成されたネジが、炭酸ガス供給用ボンベを取替え可能に捻じ込まれるソケット部と、
（２）炭酸ガス供給用ボンベの上端噴出口頭部の上部に対峙する様にソケット部に設けられ、噴出用管、内孔、ノズル孔を備えるノズル部であって、
噴出用管は炭酸ガス供給用ボンベをソケット部に捻じ込んだ際、その噴出口頭部の封印膜を貫通するように設けられ、炭酸ガス供給用ボンベから噴出ガスを噴出用管、内孔、ノズル孔に亘ってガス流通路を形成するノズル部と、
（３）ノズル部とソケット部とを収納すると共に、且つ該ソケット部に捻じ込まれた炭酸ガス供給用ボンベの下端が一定長さ食み出す様、ボンベの上端噴出口頭部を隠蔽してソケット部のネジ孔に、炭酸ガス供給用ボンベの上端噴出口頭部に形成されたネジが捻じ込まれた状態で装填される下開口の上側筒体であって、
炭酸ガス供給用ボンベの下部の食み出し部は、前記捻じ込みおよび前記取替えのために保持されて回転できる様、上側筒体の下端開口縁から下方へ一定長さ食み出し、下開口である上側筒体と、
（４）上側筒体の上部面に、一方向および反対方向に水平回転する様、装着された円形調整用摘子であって、
円形調整用摘子の内側面に雌ネジを形成し、上側筒体の上部面に、該上側筒体の外径より小径のボスを直立させると共に、該ボスの外周に雄ネジを形成して、
前記円形調整用摘子の雌ネジに螺合して一定巾にて円形調整用摘子を回転上下させ、更に前記上側筒体の上部面とボスの雄ネジとの間にネジ無し溝を形成し、円形調整用摘子を前記ボスのネジに螺合させた状態にて該円形調整用摘子の側面からねじ込んで先端が前記ネジ無し溝に位置する抜止め用ネジと、
（５）円形調整用摘子に垂下装備され、且つその下端が第１バネにて弁杆の上端
に当接して該弁杆を下方向に弾圧する押圧杆であって、
ノズル部の内孔に収納されると共に、第２バネの圧力にて上方向に常時弾圧され、且つ前記押圧杆の押圧力の軽減によって前記第２バネの復帰力にガス噴出圧力が重畳して上昇復帰する下広状の円錐弁頭と、
この円錐弁頭と対峙するノズル部に形成された下広状円錐弁座とより成り、弁杆の上昇に伴って円錐弁頭が広状円錐弁座に弾圧着座して前記ノズル部のノズル孔を閉塞すると共に、ガス流通路を遮断し、更に、前記円形調整用摘子の回転操作に伴って押圧杆が下降し、前記第２バネのバネ圧力に抗して弁杆を下降させると共に、円錐弁頭が前記ノズル部の下広状円錐弁座から離間してノズル孔を開放してガス流通路を開通させ、
（６）前記食出し部を挿入収納し、且つ上側筒体の下端開口縁と着脱自在に嵌合する上開口であって、
而も底部が着座し、上側筒体と共に直立型ボンベ収納ボックスを構成する下側筒体と、
（７）可撓性ホースは、上側筒体の上部側面位置から引出され、ノズル部からの噴出ガスをスプレー本体に導く様に接続したことを特徴とする美顔器。
【請求項２】
ボンベ収納ボックスの側面にスプレー本体を着脱自在に差込引掛ける引掛部を設けたことを特徴とした請求項１記載の美顔器。
【請求項３】
引掛部を、スプレー本体が差込まれるホルダー部及び上側筒体の上部で、而も調整用摘子の直下に巻付くリング部を金属板にて一体的に形成したフック体としたことを特徴とした請求項２記載の美顔器。
【発明の詳細な説明】
【技術分野】
【０００１】
本発明は化粧水と炭酸ガスとの混合液を顔肌等に噴霧状に吹き付ける美顔器に
関する。
【背景技術】
【０００２】
近時、遊離炭酸を含有する炭酸泉に入浴すると、炭酸泉内の炭酸成分が皮膚下
の毛細血管に作用してこの毛細血管を拡張させ、これにより入浴者の血行が改善
されて入浴者の疲労回復や健康増進が図れることは、既に広く知られている。
この炭酸成分が皮膚下の毛細血管に作用してこの毛細血管を拡張させる効能を利
用して、化粧水と共に混合液を顔肌等に吹き付けると共に、皮脂や汚れ等の残骸
物を顔肌から遊離させて取り除き、より若々しく美しい顔肌を指向する。
そこで、これらに関連する多くの技術文献１〜４の下、本願発明者が発明者の一人が一翼を担って技術文献５に示す美顔器の製品化に結び付けた。
その後、本願発明者が更なる技術開発に傾注し、より実用に即した製品の具現化を探求し、技術文献６に示す如く、美顔器の製品化に結び付く発明を成した。  
この文献６については、炭酸ガス供給用ボンベが直接露呈しない様に筒体内に収納し、更にその筒体の上部にガス噴出用の円形調整用摘子を装備して美顔器としてより一層の感性を高めるに至った。
【０００３】
而して、この技術文献６についても、更なる技術改良を他の発明者と共に、企図し、探求することとした。
即ち、この技術文献６においては、円形調整用摘子を回転させてガス噴出量を調整しており、過度の回転操作を阻止する上で、一定以上の回転にて空回りする
様、特殊なラチェット歯車方式を採用しており、コスト面から課題が残る。
また、炭酸ガス供給用ボンベの噴出ガス圧力をノズル部の開閉に有効に作用させる課題も認識した。
【先行技術文献】
【特許文献】
【０００４】
【特許文献１】実用新案出願公告昭６３−４８２６５号・・・技術文献１
【特許文献２】特開２０００−１９７５１９号・・・・・・・技術文献２
【特許文献３】特開平５−２３８９２８号・・・・・・・・・技術文献３
【特許文献４】特開２００３−５４６６２号・・・・・・・・技術文献４
【特許文献５】特許第４２７７３０６号・・・・・・・・・・技術文献５
【特許文献６】特許第４８７１９３７号・・・・・・・・・・技術文献６
【発明の概要】
【発明が解決しようとする課題】
【０００５】
本発明は、炭酸混合化粧水を生成する炭酸ガス供給用ボンベが使用時において直接目に触れない様にし、不必要な違和感、不安感を払拭することに併せ、ガス噴出量を調整する円形調整用摘子の回転を、特殊なラチェット歯車方式に代え、コスト面からの課題、更には炭酸ガス供給用ボンベの噴出ガス圧力をノズル部の開閉に有効に作用させる課題も認識し、これらについて解決する。
【課題を解決するための手段】
【０００６】
本発明の美顔器は、上記課題を解決するために、所定量の化粧水をカップに収納し、且つ炭酸ガス供給用ボンベから可撓性ホースを介して導かれた炭酸ガスをスプレー本体の先端噴出ノズルから噴出させて前記カップ内の化粧水と共に、炭酸混合化粧水を霧状に噴射する様にした美顔器に於いて、
（１）ソケット部のネジ孔に炭酸ガス供給用ボンベの上端噴出口頭部に形成されたネジが、炭酸ガス供給用ボンベを取替え可能に捻じ込まれるソケット部と、
（２）炭酸ガス供給用ボンベの上端噴出口頭部の上部に対峙する様にソケット部に設けられ、噴出用管、内孔、ノズル孔を備えるノズル部であって、
噴出用管は炭酸ガス供給用ボンベをソケット部に捻じ込んだ際、その噴出口頭部の封印膜を貫通するように設けられ、炭酸ガス供給用ボンベから噴出ガスを噴出用管、内孔、ノズル孔に亘ってガス流通路を形成するノズル部と、
（３）ノズル部とソケット部とを収納すると共に、且つ該ソケット部に捻じ込まれた炭酸ガス供給用ボンベの下端が一定長さ食み出す様、ボンベの上端噴出口頭部を隠蔽してソケット部のネジ孔に炭酸ガス供給用ボンベの上端噴出口頭部に形成されたネジが捻じ込まれた状態で装填される下開口の上側筒体であって、
炭酸ガス供給用ボンベの下部の食み出し部は、前記捻じ込みおよび前記取替えのために保持されて回転できる様、上側筒体の下端開口縁から下方へ一定長さ食み出し、下開口である上側筒体と、
（４）上側筒体の上部面に、一方向および反対方向に水平回転する様、装着された円形調整用摘子であって、
円形調整用摘子の内側面に雌ネジを形成し、上側筒体の上部面に、該上側筒体の外径より小径のボスを直立させると共に、該ボスの外周に雄ネジを形成して、
前記円形調整用摘子の雌ネジに螺合して一定巾にて円形調整用摘子を回転上下させ、更に前記上側筒体の上部面とボスの雄ネジとの間にネジ無し溝を形成し、円形調整用摘子を前記ボスのネジに螺合させた状態にて該円形調整用摘子の側面からねじ込んで先端が前記ネジ無し溝に位置する抜止め用ネジと、
（５）円形調整用摘子に垂下装備され、且つその下端が第１バネにて弁杆の上端
に当接して該弁杆を下方向に弾圧する押圧杆であって、
円形調整用摘子に垂下装備され、且つその下端が第１バネにて弁杆の上端に当接して該弁杆を下方向に弾圧する押圧杆であって、
ノズル部の内孔に収納されると共に、第２バネの圧力にて上方向に常時弾圧され、且つ前記押圧杆の押圧力の軽減によって前記第２バネの復帰力にガス噴出圧力が重畳して上昇復帰する下広状の円錐弁頭と、
この円錐弁頭と対峙するノズル部に形成された下広状円錐弁座とより成り、弁杆の上昇に伴って円錐弁頭が円錐弁座に弾圧着座して前記ノズル部のノズル孔を閉塞すると共に、ガス流通路を遮断し、更に、前記円形調整用摘子の回転操作に伴って押圧杆が下降し、前記第２バネのバネ圧力に抗して弁杆を下降させると共に、円錐弁頭が前記ノズル部の円錐弁座から離間してノズル孔を開放してガス流通路を開通させ、
（６）前記食出し部を挿入収納し、上側筒体の下端開口縁と着脱自在に嵌合する上開口であって、
而も底部が着座し、上側筒体と共に直立型ボンベ収納ボックスを構成する下側筒体と、
（７）可撓性ホースは、上側筒体の上部側面位置から引出され、ノズル部からの噴出ガスをスプレー本体に導く様に接続したことを特徴とするものである。
【０００７】
更に本発明は、ボンベ収納ボックスの側面にスプレー本体を着脱自在に差込引掛ける引掛部を設けたことを特徴としたものである。
【０００８】
更に本発明は、引掛部を、スプレー本体が差込まれるホルダー部及び上側筒の上部で、而も調整用摘子の直下に巻付くリング部を金属板にて一体的に形成したフック体としたことを特徴としたものである。
【発明の効果】
【０００９】
（１）請求項１により、上側筒体にて炭酸ガス供給用ボンベの上端の噴出口頭部は隠蔽されて外部に触れることがなく、その上部の円形調整用摘子の水平回転によりガス噴出を調整できる。
特に、ガス噴出量を調整する円形調整用摘子の回転を、特殊なラチェット歯車方式とすることなく、加工が容易な通常の雄ネジと雌ネジによって行うから、コスト面でも有効となる。
更にラチェット歯車方式を採用しないことによる雄ネジと雌ネジとの過度の回転から生じる円形調整用摘子の脱落・破損は、側面の抜止め用ネジにて所定の回転位置にて停止し、円形調整用摘子の脱落・破損の虞がない。
また、ガス流通路の遮断は、炭酸ガス供給用ボンベの噴出ガス圧をノズル部の閉塞作用方向と同方向に重畳作用させており、閉塞動作が有効に行える。
【図面の簡単な説明】
【００１０】
【図１】美顔器の使用状態を示す斜視図
【図２】美顔器の全体斜視図
【図３】美顔器の一部断面図
【図４】同上の部分拡大断面図
【図５】同上の拡大部分断面図
【図６】同上の動作状態を示す拡大部分断面図
【図７】同上の部分拡大断面図
【図８】同上の部分斜視図
【図９】スプレー本体の断面図
【図１０】同上の部分拡大断面図
【図１１】同上の動作状態を示す拡大部分断面図
【図１２】同上の部品の分解斜視図
【発明を実施するための形態】
【００１１】
以下本発明を実施形態の図面に基づいて説明する。
図１は美顔器の使用状態を示す斜視図であって、使用者が手先Ｈにてスプレー本体Ｓの握手部Ｓａを保持している。
図２は、美顔器全体を示す斜視図であって、下広のスカート状に形成した直立型ボンベ収納ボックスＸを上下側筒体１、２にて構成しており、スプレー本体Ｓがボンベ収納ボックスＸの側面Ｘａに着脱自在に装着されている。
更に図３、４は、上側筒体１に装填された炭酸ガス供給用ボンベＢの食出し部
Ｂａを下側筒体２に収納した状態を示している。
【００１２】
而して、具体的には炭酸ガス供給用ボンベＢの上端噴出口頭部３に形成されたネジ４を上側筒体１のソケット部５のネジ孔６に捻じ込む。
このソケット部５は上側筒体１の内筒７に装備されており、内筒７は上側筒体１の下開口１ａより挿入されて両者１、７の抜止段部８、９にて圧入装備され、一体化される。
従って、炭酸ガス供給用ボンベＢの上端噴出口頭部３は隠蔽されて外部に触れ
ない状態で、該炭酸ガス供給用ボンベＢは図３に示す如く、食出し部Ｂａを下側筒体２に収納されており、その下側筒体２は有底としているので上開口２ａより挿入された炭酸ガス供給用ボンベＢは底部２ｂにて覆われた状態にて吊り下げられ、食出し部Ｂａが下側筒体２の底部２ｂから浮いた状態で装填される。
【００１３】
また、下側筒体２は下広状のスカート状面２ｃとなっているから、より安定して直立できる。
【００１４】
ソケット部５のネジ孔６には炭酸ガス供給用ボンベＢの上端噴出口頭部３の上部に対峙してノズル部１０が螺着されている。
【００１５】
このノズル部１０は、図４、５に示す如く、噴出用管１１を備えており、この噴出用管１１が炭酸ガス供給用ボンベＢを捻じ込んだ際、その噴出口頭部３の封印膜３ａに貫通し、炭酸ガス供給用ボンベからの噴出ガスを噴出用管１１、内孔１２、ノズル孔１３に亘ってガス流通路を形成する。
またノズル部１０の底部には噴出口頭部３の封印膜３ａに圧着してガス漏れ防
止パッキン１４が備えられている。
而して、ノズル部１０の内孔１２には上下動する弁杆１５を挿通しており、常に第２バネ１６にて上方向に弾圧されている。而して、図５、６に示す如く、この弁杆１５の上下動によってノズル孔１３の開閉を行う。
【００１６】
更にこの弁杆１５は、下端に下広状の円錐弁頭１５ａを設けており、この円錐弁頭１５ａがノズル孔１３に形成された下広状円錐弁座１３ａに第２バネ１６のバネ圧にて弾圧着座し、ノズル孔１３を閉塞すると共に、ガス流通路を遮断しており、弁杆１５がバネ圧に抗して下降することによって、円錐弁頭１５ａが円錐弁座１３ａから離間し、ズル孔１３を開放してガス流通路を開通させる。
このガス流通路の遮断は、炭酸ガス供給用ボンベＢの噴出ガス圧をノズル部１０の閉塞作用方向と同方向に重畳作用させ、閉塞動作が瞬時に行える。
【００１７】
上側筒体１の上部面１ｂには一方向および反対方向に水平回転する様、炭酸ガス噴出調整用の円形調整用摘子１７が位置しており、該円形調整用摘子１７の内側面１７ａには雌ネジ１８を形成し、上側筒体１の上部面１ｂに、該上側筒体１の外径より小径のボス１９を直立させ、該ボス１９の外周に雄ネジ２０を形成して、円形調整用摘子１７の雌ネジ１８と螺合し、該円形調整用摘子１７は、その回転によって上下動する。
【００１８】
上側筒体１のボス１９には上部面１ｂと雄ネジ２０との間にはネジ無し溝２１を形成しており、図７に示す如く、円形調整用摘子１７を前記ボス１９のネジ２０に螺合させた状態にて、円形調整用摘子１７の側面から抜止め用ネジ２２をねじ込んで先端２２ａを前記ネジ無し溝２１に位置させており、先端２２ａが位置するネジ無し溝２１の範囲内にて円形調整用摘子１７の回転上昇が許容される。
即ち、円形調整用摘子１７は一定巾以上に回転上昇せず、円形調整用摘子１７が抜け外れることはない。
【００１９】
円形調整用摘子１７からは、押圧杆２３が垂下しており、その下端２３ａが弁杆１５の上端１５ｂに当接している。
而して、この第１バネ２４は円形調整用摘子１７を常に上方向に弾圧する様、押圧杆２３を挿通して上側筒体１の上部面１ｂと円形調整用摘子１７との夫々の窪部１ｃ、１７ｂ間に圧縮して介在されている。
勿論、第１バネ２４、第２バネ１６のバネ圧力は、その機能目的から第１バネ２４が大きくなる。
【００２０】
図８はスプレー本体Ｓをボンベ収納ボックスＸの側面Ｘａの側面に着脱自在に引掛ける差込引掛部Ｚの具体例を示し、握手部Ｓａが差込まれるホルダー部２５ａ及び上側筒体１の上部で、而も調整用摘子１７の直下の溝２６に巻付くリング部２５ｂとを金属板にて一体的に形成したフック体２５としている。
【００２１】
而して図９は、スプレー本体Ｓの具体例を示し、握手部Ｓａと直行する筒部２７を内蔵配置している。この筒部２７は導管２８を主として成している。
導管２８の前方位置には所定量の化粧水Ｗを収納するカップ２９を導管２８の内孔２８ａに連通したネジ孔２８ｂに着脱自在にねじ込み取付装備している。この化粧水Ｗとしては、例えば一般化粧剤にゲルマニウム粒子を混合させれば、炭酸成分の保湿性と美白効果が一層強まり、美容目的、即ちソフト的効能が一層好適となる。
【００２２】
このカップ２９はキャップ２９と導管２８にねじ込まれる下端の滴下口２９ａとより成っている。また、導管２８の先端には噴出ノズル３１が設けられている。スプレー本体Ｓの導管２８から握手部Ｓａを通った可撓性ホースＰがノズル部１0のノズル孔１３に接続されている。勿論、ここで言う接続とは直接、或いは間接的にガスが流通する様、接続することを指すのであって、特に限定するものではない。この可撓性ホースＰは必要に応じた長さに設定する。
また、この握手部Ｓａには操作部３０が装備されており、この操作部３０を操作することにより、導管２８の内孔２８ａを開閉するシャッター板３２を上下にスライドさせる。
【００２３】
具体的には、操作部３０を反転レバー形式として、軸３３にて反転自在に支持し、リンク３４の一方ピン３４ａを操作部３０に軸結合し、他方ピン３４ｂをシャッター板３２のリング３５に軸結合している。勿論、この操作部３０を押ボタン形式にすることも可能である。
操作部３０には、常に操作部３０を矢印ｃ、シャッター板３２を矢印ｄと反対方向にバネ力を付勢している。
【００２４】
このシャッター板３２は、化粧水収納カップ２９と炭酸ガス供給用パイプＰの引込口３６との間に位置し、操作部３０の引き付けによりリンク３４、３５を介して縦溝３７を下方向にスライドし、シャッター板３２の小孔３２aと導管２８の内孔２８ａとが合致し炭酸ガスの流入を可能とする。
【００２５】
導管２８の内孔２８ａには、化粧水収納カップ２９の滴下口２９ａに逆止弁３８が装備されており、炭酸ガスが化粧水収納カップ２９側に流入するのを防止し、適正な炭酸成分の混合化粧水が得られる。この逆止弁３８としては薄膜の合成樹脂にて成型する。
【００２６】
また、導管２８の先端噴出ノズル３１はパッキン３９を介在してカップリング４０を螺着してシールドする。
更に、噴出ノズル３１には顔肌に添わせる吸引パット４１を適宜装着する。
勿論、この吸引パット４１を使用せずして直接肌面に噴霧混合化粧水を吹き付けてもよい。
而して、ここで言う炭酸ガスと化粧水とを混合させて噴霧状とする方式は、最終的に、足、身体の肌面への炭酸混合化粧水を霧状に噴射すればよいのであって、スプレー本体内にて混合させてもよく、またスプレー本体から噴出したガスと化粧水とをスプレー本体外で混合させてもよいのは勿論であり、特に限定するものではない。
（使用動作説明）
【００２７】
次に本発明美顔器の使用順序を説明すると、スプレー本体Ｓの使用動作は、先の本願発明者が発明者の一翼を担った技術文献５、６に示す内容とほぼ同内容であり、従って、炭酸ガス供給用ボンベＢの装填、取替え及び炭酸ガス噴出の調整について説明する。
図４は炭酸ガス供給用ボンベＢが装填された状態を示している。この状態は、炭酸ガス供給用ボンベＢの噴出口頭部３が上側筒体１のソケット部５に捻じ込まれており、ソケット部５の噴出用管１１が炭酸ガス供給用ボンベＢの封印膜３ａを貫通している。
【００２８】
而してノズル部１０の弁杆１５は下方向に下降しており、内孔１２とノズル孔１３との間は開放されており、炭酸ガスはスプレー本体Ｓまで。に供給されている。
従ってこの状態において炭酸ガスはスプレー本体Ｓ操作すれば、炭酸ガスの噴出と共に、化粧水収納カップ２９からの化粧水が混合化粧水として噴射されるが得られる。
而して、この状態ノズル部１０の弁杆１５の動作状態を、更に拡大図である図
５、６に基づいて説明すると、先ず図５は弁杆１５が第上方向に位置しており、該弁杆１５の下端の下広状の円錐弁頭１５ａがノズル孔１３の下広状円錐弁座１３ａに第２バネ１６にて弾圧着座し、ノズル孔１３を閉塞している。
【００２９】
この状態は、円形調整用摘子１７が回転して上方向に位置する。
勿論、その位置は抜止め用ネジ２２の先端２２ａが上側筒体１のネジ無し溝２１に当たって過度に円形調整用摘子１７が回転することはなく、円形調整用摘子１７の押圧杆２３も弁杆１５がノズル孔１３を開くまでには押し下げていない。
【００３０】
続いて、上記状態より図６に示す如く、円形調整用摘子１７を第１バネ２４に抗して、回転下降させれば、押圧杆２３も伴って下降し（矢印）、第２バネ１６に打ち勝って弁杆１５を押し下げ、下端の円錐弁頭１５ａがノズル孔１３の円錐弁座１３ａから離間してノズル孔１３を開放し、矢印に示す如く噴出用管１１からの炭酸ガスは可撓性ホースＰを介してスプレー本体Ｓに至り、スプレー本体Ｓの操作に委ねられることとなる。
【００３１】
而して、美顔器の使用終了に伴い炭酸ガス供給を停止する場合は、上記とは逆に図６の状態から、円形調整用摘子１７を逆回転させることによって、押圧杆２３が上昇し、弁杆１５の押圧を解放する。
この解放によって図５に示す如く、弁杆１５は第２バネ１６にて上方向に復帰し、下端の円錐弁頭１５ａがノズル孔１３の円錐弁座１３ａに弾圧着座し、ノズル孔１３を閉塞して炭酸ガスの流路を断つこととなり、スプレー本体Ｓの操作に関係なく炭酸ガスは噴出しないこととなる。
【００３２】
勿論、円形調整用摘子１７の過度の回転操作に対しては、抜止め用ネジ２２の先端２２ａが上側筒体１のネジ無し溝２１に当たって阻止する。
尚、ガス消耗による炭酸ガス供給用ボンベＢの取替えは、先ず炭酸ガス供給用ボンベＢの食出し部Ｂａを保持して回転させ、ソケット部５から取り外す。
【産業上の利用可能性】
【００３３】
本発明は美顔器としているが、勿論他の腕、足、身体の肌面への炭酸混合化粧水を噴射することも出来るのである。
【符号の説明】
【００３４】
Ｈ   使用者の手先
Ｂ   炭酸ガス供給用ボンベ
Ｂａ  ボンベ食出し部
Ｘ    収納ボックス
Ｓ    スプレー本体
Ｐ    可撓性ホース
Ｚ    引掛部
１    上側筒体
２    下側筒体
３    噴出口頭部
５    ソケット部
１０  ノズル部
１１  噴出用信管
１２  内孔
１３  ノズル孔
１５  弁杆
１６  第２バネ
１７  円形調整用摘子
１８  雌ネジ
１９  ボス
２０  雄ネジ
２１  ネジ無し溝
２２  抜止め用ネジ
２３  押圧杆
２４  第１バネ
２８  導管
２９  カップ
３１  噴出ノズル
【図１】
2013236777.tif 000003
【図２】
2013236777.tif 000004
【図３】
2013236777.tif 000005
【図４】
2013236777.tif 000006
【図５】
2013236777.tif 000007
【図６】
2013236777.tif 000008
【図７】
2013236777.tif 000009
【図８】
2013236777.tif 000010
【図９】
2013236777.tif 000011
【図１０】
2013236777.tif 000012
【図１１】
2013236777.tif 000013
【図１２】
2013236777.tif 000014